(57)【要約】【課題】電池の残量情報を視認し易くする。【解決手段】表示装置（１）は、電池の残量を検出する検出手段と、前記電池の残量を離散的な複数レベルによって表示部に画像を出力する表示手段と、前記電池の残量が所定のレベル以下になった場合に、前記表示部に表示している観賞用画像を所定の警告用画像に切り替えることで電池残量の情報を提示するように前記表示手段を制御する制御手段とを有する。【選択図】図３
2017044809.tif 000002
【特許請求の範囲】
【請求項１】
電池の残量を検出する検出手段と、
前記電池の残量を離散的な複数レベルによって表示部に画像を出力する表示手段と、
前記電池の残量が所定のレベル以下になった場合に、前記表示部に表示している観賞用画像を所定の警告用画像に切り替えることで電池残量の情報を提示するように前記表示手段を制御する制御手段と
を有することを特徴とする表示装置。
【請求項２】
前記表示手段は、前記表示部に出力している観賞用画像に対して、電池残量に応じて出力している前記観賞用画像そのものを変化させることで、電池残量の情報を提示することを特徴とする請求項１に記載の表示装置。
【請求項３】
前記表示手段は、前記表示部に出力している観賞用画像に対して、電池残量に応じて出力している前記観賞用画像を電池残量に応じて前記表示部の表示画像を小さくして出力することで、電池残量の情報を提示することを特徴とする請求項１に記載の表示装置。
【請求項４】
前記表示手段は、前記表示部に出力している観賞用画像に対して、電池残量に応じて出力している前記観賞用画像を電池残量に応じて前記表示部の表示領域を小さくして出力することで、電池残量の情報を提示することを特徴とする請求項１に記載の表示装置。
【請求項５】
前記表示手段は、前記表示部に出力している観賞用画像に対して、電池残量に応じて出力している前記観賞用画像を電池残量に応じて、前記表示部の表示画像の解像度を下げて出力することで、電池残量の情報を提示することを特徴とする請求項１に記載の表示装置。
【請求項６】
前記表示手段は、前記表示部に出力している観賞用画像に対して、電池残量に応じて出力している前記観賞用画像を電池残量に応じて、前記表示部の表示画像の色をセピア調に変化させて出力することで、電池残量の情報を提示することを特徴とする請求項１に記載の表示装置。
【請求項７】
前記制御手段は、電池残量が所定のレベル以下になった場合に前記表示部に出力する処理方式をユーザが選択可能にすることを特徴とする請求項１に記載の表示装置。
【請求項８】
電池の残量を検出する検出ステップと、
前記電池の残量を離散的な複数レベルによって表示部に画像を出力する表示ステップと、
前記電池の残量が所定のレベル以下になった場合に、前記表示部に表示している観賞用画像を所定の警告用画像に切り替えることで電池残量の情報を提示するように前記表示ステップを制御する制御ステップと
を有することを特徴とする表示方法。
【請求項９】
コンピュータを、
電池の残量を検出する検出手段と、
前記電池の残量を離散的な複数レベルによって表示部に画像を出力する表示手段と、
前記電池の残量が所定のレベル以下になった場合に、前記表示部に表示している観賞用画像を所定の警告用画像に切り替えることで電池残量の情報を提示するように前記表示手段を制御する制御手段と
として動作させるためのプログラム。
【発明の詳細な説明】
【技術分野】
【０００１】
本発明は、画像を表示することができる表示装置、表示方法及びプログラムに関する。
【背景技術】
【０００２】
電池駆動で画像（静止画や動画）を表示することができる表示装置では、電池の充電時期または交換時期をユーザに知らせるようにすることが求められる。特許文献１には、ユーザが電池の交換時期または充電時期を知ることができるように、電池の残量を表示する表示装置が記載されている。
【先行技術文献】
【特許文献】
【０００３】
【特許文献１】特開平７−３２７３２４号公報
【発明の概要】
【発明が解決しようとする課題】
【０００４】
フォトフレーム型の表示装置では、ユーザが保持する頻度が少ないため、表示面を間近で見ることが少なくなる。設置場所によっては、表示面を間近で見ることができない可能性もある。そのため、フォトフレーム型の表示装置は、表示面を簡単に間近で見ることができる装置（例えば、携帯電話）に比べて、電池の残量情報を視認しさせにくいという問題がある。
【０００５】
さらに、電池の残量情報の視認性の向上を図るために残量情報の表示領域を大きくすると、フォトフレームに表示しておきたい画像を小さくするか、フォトフレームに表示しておきたい画像の一部が残量情報によって隠れるかすることなる。フォトフレームに表示しておきたい画像の見栄えを悪くしないためには、残量情報の表示領域や表示方法を工夫することが求められる。
【０００６】
そこで、本発明は、電池の残量情報等を視認し易くすることを目的とする。
【課題を解決するための手段】
【０００７】
本発明に係る表示装置は、電池の残量を検出する検出手段と、前記電池の残量を離散的な複数レベルによって表示部に画像を出力する表示手段と、前記電池の残量が所定のレベル以下になった場合に、前記表示部に表示している観賞用画像を所定の警告用画像に切り替えることで電池残量の情報を提示するように前記表示手段を制御する制御手段とを有することを特徴とする。
【発明の効果】
【０００８】
本発明によれば、電池の残量情報等を視認し易くすることができる。
【図面の簡単な説明】
【０００９】
【図１】実施形態１における表示装置１の外観を正面から見た図である。
【図２】実施形態１における表示装置１の外観を背面から見た図である。
【図３】実施形態１における表示装置１が有する複数の構成要素の一例を説明するためのブロック図である。
【図４】電池電圧と時間の関係を示す図である。
【図５】電池容量と時間の関係を示す図である。
【図６】表示装置１における表示制御処理を示すフローチャートである。
【図７】メニュー画面による表示設定処理を示すフローチャートである。
【図８】観賞用画像の選択処理を示すフローチャートである。
【図９】電池残量情報表示の設定処理を示すフローチャートである。
【図１０】電池残量検出処理を示すフローチャートである。
【図１１】観賞用画像から警告用画像に切り替わる表示例を示す図である。
【図１２】表示画像を電池残量に対して離散的に縮小する表示例を示す図である。
【図１３】フレームサイズが縮小される表示例を示す図である。
【図１４】色調が色褪せたものに変化する表示例を示す図である。
【発明を実施するための形態】
【００１０】
以下、図面を参照し、本発明の実施形態を説明する。
【００１１】
［実施形態１］
図１〜図３は、実施形態１における表示装置１を説明するための図である。図１〜図３は、実施形態１の基本構成を示すものである。図１は、実施形態１の表示装置１の前面側からの外観の一例を示す図である。図２は、実施形態１の表示装置１の背面からの外観の一例を示す図である。表示装置１は、例えば、フォトフレーム型の表示装置によって構成される。
【００１２】
図１及び図２において、表示部１０１は、液晶表示器などの表示器を有する。電池１１２は、表示装置１に接続可能な電池であり、表示装置１の電源として動作する。
【００１３】
カードスロット１０４は、コンパクトフラッシュ（登録商標）、スマートメディア、メモリースティック等のメモリカードが挿入されるスロットである。スタンド１１３は、表示装置１が横姿勢で立て掛けられても縦姿勢で立て掛けられても安定するように設けられている。
【００１４】
メニューボタン１０５は、各種設定を行うためのプログラムに移行する場合に操作される指示部である。スクロールボタン１０６は、各種設定の選択をする場合に操作される指示部である。決定ボタン１０７は、スクロールボタン１０６で選択された設定を決定する場合に操作される指示部である。キャンセルボタン１０８は、決定ボタン１０７とは反対に、スクロールボタン１０６で選択された設定をキャンセルする場合に操作される指示部である。
【００１５】
電源ボタン１１１は、表示装置１の電源をオンまたはオフするための指示部である。受信部１０２は、無線リモコン装置から送信された指示信号を受信することができる。無線リモコン装置には、メニューボタン１０５、スクロールボタン１０６、決定ボタン１０７、キャンセルボタン１０８、電源ボタン１１１と同様のボタンが設けられており、これらボタンを操作することで表示装置１を制御することができるように構成されている。
【００１６】
接続端子１０９は、外付けのメモリと接続するための端子である。出力端子１１０は、外部表示装置に画像（静止画又は動画）を出力するための端子である。スピーカ１０３は、音声データから再生された音声を再生することができる。
【００１７】
図３は、表示装置１が有する複数の構成要素の一例を説明するためのブロック図である。
【００１８】
図３において、電源回路１２８は、表示装置１に電池１１２が接続されると、表示装置１の各構成要素に電力を供給する。ＣＰＵ１２０は、表示装置１全体を制御する制御部として動作するＣＰＵ（Ｃｅｎｔｒａｌ  Ｐｒｏｃｅｓｓｉｎｇ  Ｕｎｉｔ）である。ＣＰＵ１２０は、操作部１３０からの指示信号を受信し、受信した指示信号に応じた制御を行うことができる。ＣＰＵ１２０は、受信部１０２からの指示信号を受信し、受信した指示信号に応じた制御を行うことができる。
【００１９】
操作部１３０は、メニューボタン１０５、スクロールボタン１０６、決定ボタン１０７、キャンセルボタン１０８を有する。メモリ１２１は、電気的に記録、消去可能な不揮発性メモリであり、ＣＰＵ１２０で実行されるプログラムと、表示設定に関する情報とが格納される。複数種類の警告用画像も、メモリ１２１に格納されている。各警告用画像は、電池１１２の残量をユーザに通知するための残量情報を含む。ドライバ回路１２２は、表示部１０１用のドライバ回路であり、表示部１０１に画像を表示する機能を有する。
【００２０】
通信インターフェース１２３は、カードスロット１０４に挿入されたメモリカードと通信するための通信インターフェースである。通信インターフェース１２３は、メモリカードから画像データ（静止画データ又は動画データ）を読み出すことができる。通信インターフェース１２４は、接続端子１０９に接続された外部メモリと通信するための通信インターフェースであり、例えば、ＵＳＢ（Ｕｎｉｖｅｒｓａｌ  Ｓｅｒｉａｌ  Ｂｕｓ）規格に準拠する。通信インターフェース１２４は、外部メモリから画像データ（静止画データ又は動画データ）を読み出すことができる。
【００２１】
フレームメモリ１２５は、表示装置１に内蔵されたメモリであり、カードスロット１０４に挿入されたメモリカード或いは接続端子１０９に接続された外部メモリから読み出した画像データを記憶することができる。映像処理回路１２６は、画像データを出力端子１１０から外部表示装置に出力するための信号処理を行う。音声処理回路１２７は、音声データをスピーカ１０３から出力するための信号処理を行う。
【００２２】
電池残量検出回路１２９は、表示装置１に接続された電池１１２の残量を検出し、検出した残量を残量データとしてＣＰＵ１２０に通知する。画像表示メモリ１３１は、表示部１０１に出力する画像データを一時的に記憶するメモリである。ＣＰＵ１２０は、画像表示メモリ１３１に記憶した画像データに対して所定の加工処理を行う。
【００２３】
図４、図５を参照し、電池残量検出回路１２９で行われる電池１１２の残量検出方法について説明する。図４、５中の電池放電条件は、同一条件として一定電流を放電したときの状況を表している。図４では、縦軸に電池電圧Ｖ、横軸に経過時間を表しており、図４のように電池が放電すると電池電圧Ｖが変化する。
【００２４】
初期段階での電池電圧Ｖは、その電池の満充電された最大電圧を現し、放電するたびに徐々に電圧値は下降する。図４中のｔポイントは、表示装置１にて設定された禁止電圧値であり、表示装置１はこの電圧以下では正常動作が保障できないので告知表示を行い動作ストップとなる。電池がさらに放電すると急激に電圧降下を起こし、その電池の終止電圧に到達すると保護回路が作動して放電しなくなる。
【００２５】
図５では、縦軸に電池容量、横軸に経過時間を表しており、図５のように電池が放電すると電池容量が低下する。初期段階での電池容量は、その電池の満充電された最大容量1００％を現し、放電するたびに徐々に電池容量は下降する。図５中のｔポイントは、図４で示したｔと同様のポイントであり、表示装置１の禁止電圧値に到達した場合を0%と表記している。
【００２６】
実際は、その後も終止電圧まで放電できる電池能力はあるのだが、表示装置１の正常動作保障ができないので、表示装置１が表示する残容量としては禁止電圧のｔポイントを０％と表示することが望ましい。電池容量は一般的に〔ｍＡｈ〕で表現されている。仮にこの電池の公称容量を２０００ｍＡｈとすると、１Ｃのエネルギー消費（放電電流２０００ｍＡ）が継続した場合には１時間で終止電圧近辺になる。表示装置１が動作不能となる禁止電圧値と電池残容量０％の関係が同一であれば、一定な消費エネルギー（放電電流）に対して電池の使える残り時間を割り出すことが可能となる。
【００２７】
次に、図６を参照し、表示装置１における表示制御を説明する。
図６のフローチャートは、表示装置１の電源ボタン１１１がオンになり、ＣＰＵ１２０のメインプログラムが起動したところからスタートする。
Ｓ６００では、電池残量検出回路１２９が電池の残量を検出し、観賞用画像を表示部１０１に出力するか警告用画像を表示部１０１に出力するかを判定する。また、Ｓ６００において、ＣＰＵ１２０内部のタイマ・カウンタのレジスタ値を０にしてカウントを開始する。Ｓ６００で行なわれる電池残量検出処理については、図１０のフローチャートで後述する。
【００２８】
Ｓ６０１では、内蔵メモリ１２５に記憶された観賞用の画像データを読み出す。
Ｓ６０２では、内蔵メモリ１２５またはカードスロット１０４に挿入されたメモリカード、もしくは接続端子１０９に接続された外部メモリより読み出した画像データを表示部１０１の表示サイズに加工処理して画像表示メモリ１３１に記憶する。
【００２９】
Ｓ６０３では、記憶されている画像データに表示設定を反映させて、ドライバ回路１２２が表示画像を生成して表示部１０１に出力する。
Ｓ６０４は、観賞用画像が表示部１０１に出力された状態である。
Ｓ６０５では、メニューボタン１０５が操作されたか否かを検出する。メニューボタン１０５が操作された場合はＳ６０７へ進み、操作されない場合はＳ６０６に進む。
【００３０】
Ｓ６０６では、メインプログラムに対して電池残量検出のプログラムに入るよう割り込み要求が入ったか否かを検出する。割り込み要求は、ＣＰＵ１２０内部のタイマ・カウンタが設定値にまでカウントされると発生する。割り込み要求が検出された場合はＳ６００に進み、検出されなかった場合はＳ６０８に進む。
【００３１】
Ｓ６０７では、メニューモードに入り、表示設定が行われる。
Ｓ６０８では、電源ボタン１１１が操作されたか否かを検出する。電源ボタン１１１が操作された場合はＳ６０９へ進み、操作されない場合はＳ６０４へ戻る。Ｓ６０９では、表示部１０１で表示している観賞用の画像データを内蔵メモリ１２５に記憶すると共に、表示設定を不揮発性メモリ１２１に記憶する。Ｓ６１０では、表示装置１の電源をオフにし、図６のフローを終了する。
【００３２】
次に、図７を参照し、メニュー画面による表示設定について説明する。図７のフローチャートは、メニューボタン１０５が操作されたときにスタートする。
Ｓ７０１では、メニュー画面をドライバ回路１２２が表示部１０１に出力する。
Ｓ７０２では、表示部１０１がメニュー画面を表示している場合にキャンセルボタン１０８が操作されたか否かを検出する。キャンセルボタン１０８が操作された場合は図６のＳ６０４に戻り、操作されない場合はＳ７０３へ進む。
【００３３】
Ｓ７０３は操作部１３０によりメニュー画面から表示する観賞用画像を選択するメニューに入るか否かを検出する。メニューに入ったときはＳ７０４に進み、メニューに入らないときはＳ７１０へ進む。
【００３４】
Ｓ７０４は、どのメディアから観賞用画像を選択するのかを選択する画面を、ドライバ回路１２２が表示部１０１に出力した状態である。
Ｓ７０５は、観賞用画像を内蔵メモリ１２５に記憶している画像データから選択するか否かを検出する。内蔵メモリ１２５から選択する場合はＳ７０９へ進み、内蔵メモリ１２５から選択しない場合はＳ７０６へ進む。
【００３５】
Ｓ７０６は、観賞用画像をメモリカードに記憶している画像データから選択するか否かを検出する。メモリカードから選択する場合はＳ７０９へ進み、メモリカードから選択しない場合はＳ７０７へ進む。
Ｓ７０７は、観賞用画像を外部メモリに記憶している画像データから選択するか否かを検出する。外部メモリから選択する場合はＳ７０９へ進み、外部メモリから選択しない場合はＳ７０８へ進む。
【００３６】
Ｓ７０８では、どの記憶媒体から観賞用画像を選択するのかを選択する画面において、キャンセルボタン１０８が操作されたか否かを検出する。キャンセルボタンが操作された場合はＳ７０１に戻り、操作されない場合はＳ７０４へ戻る。
Ｓ７０９では、画像選択メニューに入り表示する画像の選択を行う。Ｓ７０９の処理については図８のフローチャートで説明する。
【００３７】
Ｓ７１０では、操作部１３０によりメニュー画面から表示設定をするメニューに入るか否かを検出する。メニューに入るときはＳ７１１に進み、メニューに入らないときはＳ７０１に戻る。
Ｓ７１１は、観賞用画像の表示に関する設定を行う画面に入った状態である。表示設定では、時計やカレンダー、画像情報の表示やスライドショーに対する設定、さらに動画出力時の音声出力の設定や警告用画像の表示設定などを行う。操作部１３０により、表示の設定を変更したときは、観賞用画像を表示するときに、ドライバ回路１２２が変更した表示設定を反映させて表示部１０１に出力する。Ｓ７１１において、警告用画像の表示設定については、図９のフローチャートで説明する。
【００３８】
Ｓ７１２では、Ｓ７１１の表示設定の設定画面において、キャンセルボタン１０８が操作されたか否かを検出する。キャンセルボタン１０８が操作された場合はＳ７０１に戻り、操作されない場合はＳ７１０に戻る。
【００３９】
次に、図８を参照し、図７のＳ７０９の観賞用画像の選択について説明する。
Ｓ８００では、選択されたメディアが内蔵メモリ１２５か否かを検出する。内蔵メモリ１２５が選択された場合はＳ８０２に進み、メモリカードや外部メモリが選択された場合はＳ８０１に進む。
【００４０】
Ｓ８０１では、カードスロット１０４にメモリカードが挿入されているか、また、接続端子１０９に外部メモリが接続されているかを検出する。メディアを検知したときはＳ８０２に進み、検知しないときはＳ８０５に進む。
Ｓ８０５では、警告用画像の表示を行う。次に、Ｓ８０６においてキャンセルボタン１０８が操作されたか否かを検出する。キャンセルボタン１０８が操作された場合には、図７のＳ７０４に戻り、操作されなかった場合には、操作されるまで待機状態となる。
【００４１】
Ｓ８０２は、選択されたメディアにおいて観賞用画像を選択する画面に入った状態である。
Ｓ８０３では、操作部１３０により観賞用画像が選択されたか否かを検出する。観賞用画像が選択されたときはＳ８０４に進み、選択されていないときはＳ８０２に戻る。
Ｓ８０４では、選択された観賞用画像を記憶しているメディアより画像データを読み出すことで表示画像の設定を終了する。
【００４２】
次に、図９を参照し、図７のＳ７１１の表示設定について説明する。
Ｓ９００では、メニュー画面から表示設定を行うメニューの画面をドライバ回路１２２が表示部１０１に出力する。
【００４３】
Ｓ９０１では、メニュー画面において、操作部１３０より警告用画像に関する表示設定に移行するか否かを検出する。検出したときはＳ９０２へ進み、検出しない場合はＳ９００に戻る。
Ｓ９０２は、警告用画像の表示をどのモードで行うかを設定する画面に移行した状態である。この画面に移行することで、電池残量が所定のレベル以下の場合にどのような表示処理をするかは、ユーザによって選択可能とすることができる。
【００４４】
Ｓ９０３では、Ｓ９０２の状態において、キャンセルボタン１０８が操作されたか否かを検出する。キャンセルボタン１０８が操作された場合はＳ９００に戻り、操作されない場合はＳ９０４に進む。
Ｓ９０４では、観賞用画像を警告用画像に切り替えるモードが選択されたか否かを検出する。このモードを選択された場合はＳ９０５に進み、選択されなかった場合はＳ９０６に進む。
【００４５】
Ｓ９０６では、観賞用画像サイズを離散的に縮小するモードが選択されたか否かを検出する。このモードが選択された場合はＳ９１０に進み、選択されなかった場合はＳ９０７に進む。
Ｓ９０７では、観賞用画像の出力範囲を離散的に狭めるトリミングをするモードが選択されたか否かを検出する。このモードが選択された場合はＳ９１０に進み、選択されなかった場合はＳ９０８に進む。
【００４６】
Ｓ９０８では、観賞用画像の解像度を離散的に減少していくモードが選択されたか否かを検出する。このモードが選択された場合はＳ９１０に進み、選択されなかった場合はＳ９０９に進む。
Ｓ９０９では、ドライバ回路１２２が表示部１０１に観賞用画像の色調をセピア調へ変化させていくモードが選択されたか否かを検出する。このモードが選択された場合はＳ９１０に進み、選択されなかった場合はＳ９０２に戻る。
Ｓ９１０では、表示設定を画像表示メモリ１３１に上書きすることで、警告用画像の表示設定を終了する。
【００４７】
次に、図１０を参照し、警告用画像表示を説明する。図１０のフローチャートは、図６のＳ６００で表示装置１の電池１１２の電池残量検出プログラムに入ったときにスタートする。実施形態１においては、電池の残量を離散的な複数レベルで検出する。
【００４８】
Ｓ１０００では、電池残量検出回路１２９が電池残量の検出を行い、検出した残量データをＣＰＵ１２０に送信する。
Ｓ１００１では、観賞用画像を警告用画像に切り替えるモードが選択されているか否かを検出する。このモードが選択されていることを検出した場合はＳ１００９に進み、このモード以外のモードが選択されていることを検出した場合はＳ１００２に進む。
【００４９】
Ｓ１００２では、電池残量が例えば２０％未満か否かを判定する。電池の残量が２０％以上であればＳ１００３に進み、２０％以下であればＳ１００４に進む。
Ｓ１００３では、図１のように観賞用画像の出力を行う設定を行い、表示設定として画像表示メモリ１３１に上書きする。
【００５０】
Ｓ１００４では、電池残量が例えば１０％以上か否かを判定する。電池１１２の残量が１０％以上であればＳ１００５に進み、電池の残量が１０％未満であれば、Ｓ１００６に進む。
３０５では、表示部１０１に電池残量が２０％未満であるという電池残量情報表示を出力する警告表示設定（１）の設定を行い、警告表示設定（１）として画像表示メモリ１３１に記憶する。
【００５１】
Ｓ１００６では、電池残量が０％か否かを判定する。電池残量が１％以上であればＳ１００７に進み、０％であればＳ１００８に進む。
Ｓ１００７では、電池１１２の残量が１％以上１０％未満であるという電池残量情報表示を出力する設定を行い、警告表示設定（２）として画像表示メモリ１３１に記憶する。
【００５２】
Ｓ１００８では、電池１１２の残量が０％であるという電池残量情報表示を出力する設定を行い、警告表示設定（３）として画像表示メモリ１３１に記憶する。
Ｓ１００９では、電池残量が０％か否かを判定する。電池残量が１％以上であればＳ１００３に進み、０％であればＳ１０１０に進む。
Ｓ１０１０では、電池１１２の残量が０％であるという図１の観賞用画像から図１１のような警告用画像に表示部１０１の表示を切り替える設定を行い、表示設定として画像表示メモリ１３１に記憶する。
【００５３】
実施形態１の表示装置１が表示部１０１に電池残量情報表示をする設定が観賞用画像から警告用画像へ出力を切り替えるモードの場合は、前述の通り、図１の観賞用画像から図１１のように表示部１０１の画像表示が警告用画像に切り替わる。
【００５４】
表示装置１が表示部１０１に電池残量情報表示をする設定が、ドライバ回路１２２が表示部１０１に出力する画像サイズを縮小するモードの場合は、前述した通り、図１２のように表示部１０１の表示画像を電池残量に対して離散的に縮小する。図１２では図１０のフローにおいて、Ｓ１００５の状態を示している。
【００５５】
図１０のフローチャートにおいて、Ｓ１００５では図１２のフレームサイズ２０１のようになり、Ｓ１００７では図１２のフレームサイズ２０２、Ｓ１００８では図１２のフレームサイズ２０３のように縮小される。このように、表示画像を縮小することにより表示領域が縮小され、バックライトを使用しない有機エレクトロルミネッセンスディスプレイ（以下、有機ＥＬディスプレイ）のような表示装置等においては消費電力を抑えることができる。
【００５６】
表示装置１が表示部１０１に電池残量情報表示をする設定がドライバ回路１２２が表示部１０１に出力する領域を縮小するモードの場合は、図１２のように、表示部１０１の表示領域を電池残量に対して離散的に縮小する。
【００５７】
図１２では、図１０のフローチャートにおいて、Ｓ１００５の状態を示している。図１０のフローチャートにおいて、Ｓ１００５では図１３のフレームサイズ３０１のようになり、Ｓ１００７では図１３のフレームサイズ３０２、Ｓ１００８では図１３のフレームサイズ３０３のように縮小される。このように表示領域を縮小することにより、バックライトを使用しない有機ＥＬディスプレイのような表示装置等には消費電力を抑えることができる。
【００５８】
表示装置１が表示部１０１に電池残量情報表示をする設定が、ドライバ回路１２２が表示部１０１に出力する解像度を下げるモードの場合は、ドライバ回路１２２が表示部１０１への周波数を下げる。これにより、表示するデータ量が少なくなり解像度を離散的に下げる。図１０のフローチャートにおいて、Ｓ１００５、Ｓ１００７、Ｓ１００８と進むにつれて、ドライバ回路１２２の周波数が下がり、表示するデータ量が少なくなり表示部１０１の表示画像の解像度を下げる。
【００５９】
表示装置１が表示部１０１に電池残量情報表示をする設定が、ドライバ回路１２２が表示部１０１に出力する色調をセピア調へ変化させるモードの場合は、ドライバ回路１２２の表示部１０１への色調を変化させる。
【００６０】
図１４では、図１０のフローチャートにおいて、Ｓ１００５の状態を示している。図１０のフローチャートにおいて、Ｓ１００５では色調を変化させることで、図１４のような色調となる。Ｓ１００７で行なわれる警告表示設定（２）では、図１４の色調が色褪せたものに変化し、Ｓ１００８で行なわれる警告表示設定（３）では、図１４の色調が色褪せたものになる。
【００６１】
なお、表示装置は、図１から図７を用いて説明した実施形態に限定されるものではない。たとえば、表示装置１にはスタンド１１３を用いているが、壁掛け式でもよい。
【００６２】
実施形態１において、電池残量の検出手段についてはさまざまでよい。
実施形態１において、電池残量情報表示用の画像は初期設定において内蔵メモリ１２５に記憶されている画像としているが、ユーザのお気に入りの画像を設定することも可能であり、さまざまでよい。
【００６３】
また、図４において、電池残量の判定を段階を３段階で示しているが、電池残量の判定の段階についてはさまざまでよい。
実施形態１において、図９のフローチャートにおいて、電池残量情報表示について警告用画像への表示切り替え、表示画像サイズの縮小、表示画像のトリミング、ドライバ回路１２２の出力周波数の減少、表示画像の解像度の縮小とした。しかし、表示画像の表示処理については様々でよい。例えば、表示部１０１のフレームレートを下げることにより、ドライバ回路１２２が表示部１０１への出力表示を点滅させることで、電池１１２の残量情報を提示することもできる。この処理方式では、点滅周期を遅くすればするほど消費電力を抑えることができる。
【００６４】
［実施形態２］
実施形態１で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。また、実施形態２では、コンピュータＸを制御するためのプログラムであって、実施形態１で説明した様々な機能、処理及び方法を実現するためのプログラムを「プログラムＹ」と呼ぶ。
【００６５】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙ（非一時的）な記憶媒体である。
【符号の説明】
【００６６】
１  表示装置（フォトフレーム型の表示装置）
１０１  表示部
１０４  カードスロット
１０５  メニューボタン
１０６  スクロールボタン
１０７  決定ボタン
１０８  キャンセルボタン
１０９  接続コネクタ
１１０  映像出力端子
１１２  電池
１２０  ＣＰＵ
１２１  不揮発性メモリ
１２２  ドライバ回路
１２５  内蔵メモリ
１２９  電池残量検出回路
１３１  画像表示メモリ
【図１】
2017044809.tif 000003
【図２】
2017044809.tif 000004
【図３】
2017044809.tif 000005
【図４】
2017044809.tif 000006
【図５】
2017044809.tif 000007
【図６】
2017044809.tif 000008
【図７】
2017044809.tif 000009
【図８】
2017044809.tif 000010
【図９】
2017044809.tif 000011
【図１０】
2017044809.tif 000012
【図１１】
2017044809.tif 000013
【図１２】
2017044809.tif 000014
【図１３】
2017044809.tif 000015
【図１４】
2017044809.tif 000016